(57)【特許請求の範囲】
【請求項１】
開口を有する処理装置本体と、前記開口を塞ぐ蓋部材と、前記処理装置本体と前記蓋部材との間に設けられ該蓋部材を保持する枠部材とを備え、前記処理装置本体内で排水の処理を行う排水処理装置であって、
前記処理装置本体は、該処理装置本体から突出し先端に水平面を有する凸部を備え、
前記開口は、前記凸部の水平面側を切り抜き加工することで形成されており、前記開口の開口端部が、該開口端部から前記開口の径方向へ突出する突出部を備えるとともに、前記開口端部および突出部が前記枠部材に当接するように構成され、
前記枠部材が、少なくとも該枠部材の反蓋部材側に配置される支持部材によって支持されるように構成されるとともに、前記支持部材が、前記開口端部の外周面と前記突出部の間に形成される凹部に配置されるように構成されていることを特徴とする排水処理装置。
【請求項２】
請求項１に記載した排水処理装置であって、前記開口がマンホールであることを特徴とする排水処理装置。
【請求項３】
開口を有する処理装置本体と、前記開口を塞ぐ蓋部材と、前記処理装置本体と前記蓋部材との間に設けられ該蓋部材を保持する枠部材とを備え、前記処理装置本体内で排水の処理を行う排水処理装置を設置する設置方法であって、
前記処理装置本体は、該処理装置本体から突出し先端に水平面を有する凸部を備え、
前記開口は、前記凸部の水平面側を切り抜き加工することで形成されており、前記開口の開口端部に、該開口端部から前記開口の径方向へ突出する突出部を設けるとともに、前記開口端部および突出部を前記枠部材に当接させ、
前記枠部材の反蓋部材側に、該枠部材を支持する支持部材を配置するとともに、前記支持部材を、前記開口端部の外周面と前記突出部の間に形成される凹部に配置することを特徴とする排水処理装置の設置方法。
【請求項４】
請求項３に記載した排水処理装置の設置方法であって、前記開口がマンホールであることを特徴とする排水処理装置の設置方法。
【発明の詳細な説明】
【０００１】
【発明の属する技術分野】
本発明は、排水の処理を行う排水処理装置に係り、詳しくは処理装置本体にマンホール等の開口を備えた排水処理装置技術に関する。
【０００２】
【従来の技術】
従来、例えば一般家庭から排出された家庭用排水を処理する排水処理槽が知られている。このような排水処理槽は、一般に処理槽本体の上部に槽内の点検等に用いるマンホールを備え、設置時に処理槽本体が地面に埋設されるようになっている。例えば、図８に示す処理槽本体には、処理槽本体の上部に設けられたマンホール２５０と、マンホール２５０を塞ぐマンホール蓋２７０と、マンホール蓋２７０を保持するマンホール枠２６０等が設けられている。このマンホール枠２６０によって、処理槽本体に対するマンホール蓋２７０の位置決めがなされるようになっている。そして、処理槽本体が地面に埋設された状態では、マンホール２５０の開口端部２２４の外周はコンクリート部材Ｃで覆われるようになっている。
【０００３】
【発明が解決しようとする課題】
ところで上記のような構成の排水処理槽において、マンホール蓋２７０に荷重が作用すると、マンホール２５０の開口端部２２４は、この荷重をマンホール蓋２７０を介してマンホール枠２６０から受けることとなる。従って、マンホール２５０の開口端部２２４の耐久性を確保するために例えば肉厚を厚くする必要があり、処理槽本体自体の作製コストが高くなるという問題がある。
【０００４】
そこで、本発明は、以上のような点に鑑みてなされたものであり、その目的とするところは、マンホール等の開口を備えた排水処理装置において、簡便かつ安価に排水処理装置の耐久性を維持することができる合理的な技術を提供することである。
【０００５】
【課題を解決するための手段】
前記課題を解決するために、本発明の排水処理装置は請求項１及び２に記載の通りに構成されている。また、本発明の排水処理装置の設置方法は請求３及び４に記載の通りである。
【０００６】
請求項１に記載の排水処理装置において、処理装置本体内で排水の処理、例えば生物処理等が行われる。また、処理装置本体と、この処理装置本体の開口を塞ぐ蓋部材との間には保持部材が設けられている。この保持部材は、蓋部材を保持するとともに、処理装置本体に対する蓋部材の位置決めを行うものである。ここでいう「開口」とは、処理装置本体の内部の点検に用いられるマンホールや、測定機器や配管類の挿入口等を広く含むものとする。
保持部材の反蓋部材側、すなわち保持部材を挟んで蓋部材の反対側には、支持部材が配置される。そして、少なくともこの支持部材によって保持部材が支持されることとなる。換言すれば、支持部材は、蓋部材を介して保持部材に作用する荷重の全部または一部を受けることができるようになっている。ここでいう「支持部材」は、例えば処理装置本体を地面に埋設する際に、この処理装置本体を地面側に固定するコンクリート部材等が好適である。これにより、蓋部材を介して保持部材に作用する荷重の全部または一部を支持部材によって受ける簡単な構成によって、処理装置本体に作用する荷重を極力低減させることができる。従って、処理装置本体に必要な強度を抑えることができ、処理装置本体の肉厚を薄くすることで処理装置本体の作製コストを低くすることができる。しかも、保持部材を、蓋部材からの荷重を考慮した形状に変更する必要がない。
以上のように、請求項１に記載した排水処理装置によれば、簡便かつ安価に排水処理装置の耐久性を維持することができる。
【０００７】
また、請求項１に記載の排水処理装置において、処理装置本体に形成された開口の開口端部には、開口端部から開口の径方向へ突出する突出部が設けられ、この突出部と開口端部の外周面との間に凹部が形成されている。そして、この凹部に配置された支持部材が、保持部材に作用する荷重の全部または一部を受けることができるようになっている。これにより、とりわけ処理装置本体の開口端部に突出部を設けた簡単な構成によって、処理装置本体に作用する荷重を極力低減させることができる。
【０００８】
また、請求項１に記載の排水処理装置において、保持部材は、開口端部および突出部に当接するようになっている。このような構成によれば、凹部に配置された支持部材によって保持部材が支持されるうえに、保持部材は、開口端部および突出部によって処理装置本体側に確実に保持されることとなる。
【０００９】
また、請求項１に記載の排水処理装置において、処理装置本体から突出するとともに先端に水平面を有する凸部が設けられている。この凸部は、例えば処理装置本体の壁部を凸状に成形することで形成される。そして、この凸部の水平面側を切り抜き加工することで開口、例えばマンホールが形成されるのが好ましい。この場合、凸部の水平面側を加工することでマンホールを形成するため、例えば、凸部の立設面側を加工する場合に比してマンホールの加工が容易である。しかも、凸部の立設面側を加工する場合に比して、保持部材と対向する箇所の水平度の確保が容易である。すなわち、凸部の水平面側を加工する場合は、水平面の水平度を確保しておけば、切り抜き精度が変化しても問題ないが、凸部の立設面側を加工する場合は、保持部材と対向する箇所の水平度を確保するために、高い切り抜き精度が要求されることとなる。
そして請求項２に記載の排水処理装置では、開口がマンホールである。
【００１０】
請求項３に記載の排水処理装置の設置方法によれば、処理装置本体において保持部材の反蓋部材側、すなわち保持部材を挟んで蓋部材の反対側には、支持部材が配置される。そして、少なくともこの支持部材によって保持部材が支持されることとなる。この支持部材は、例えば処理装置本体を地面に埋設する場合に、この処理装置本体を地面側に固定するコンクリート部材等が好ましい。このような支持部材を保持部材の反蓋部材側に配置することによって、蓋部材を介して保持部材に作用する荷重の全部または一部は、支持部材によって受けられ、処理装置本体に作用する荷重を極力低減させることができる。従って、処理装置本体に必要な強度を抑えることができ、処理装置本体の肉厚を薄くすることで処理装置本体の作製コストを低くすることができる。しかも、保持部材を、蓋部材からの荷重を考慮した形状に変更する必要がない。
【００１１】
また、請求項３に記載の排水処理装置の設置方法によれば、とりわけ開口端部の外周面と突出部（開口端部から開口の径方向へ突出する突出部）の間の凹部に前記支持部材を配置した簡単な構成によって、処理装置本体に作用する荷重を極力低減させることができる。
【００１２】
また、請求項３に記載の排水処理装置の設置方法によれば、凹部に配置された支持部材によって保持部材が支持されるうえに、保持部材は、開口端部および突出部によって処理装置本体側に確実に保持されることとなる。
【００１３】
また、請求項３に記載の排水処理装置の設置方法によれば、処理装置本体の凸部に設けられた水平面側を切り抜くことで開口、例えばマンホールを形成するため、例えば、凸部の立設面側を加工する場合に比してマンホールの加工および凸部が保持部材と対向する箇所の水平度の確保が容易である。
そして請求項４に記載の排水処理装置の設置方法では、開口がマンホールである。
【００１４】
【発明の実施の形態】
以下に、本発明における一実施の形態の排水処理槽の構成を図１〜図３に基づいて説明する。ここで、図１は本発明における一実施の形態の排水処理槽の外観を示す斜視図である。図２はマンホールの構成を示す斜視図である。図３は図２中の部分断面図である。
【００１５】
図１に示すように、本発明における排水処理装置としての排水処理槽１において、処理槽本体１０（処理装置本体）は、いずれも槽状に形成された上部槽２０および下部槽３０によって構成されている。すなわち、上部槽２０の上部槽フランジ部２２と、下部槽３０の下部槽フランジ部３２とを互いに重ね合わせて接合することで、処理槽本体１０が組立てられることとなる。また、上部槽２０には壁部２１から槽内方へ突出する補強用の上部槽補強リブ２３が形成され、下部槽３０には壁部３１から槽内方へ突出する補強用の下部槽補強リブ３３が形成されている。なお、処理槽本体１０は一般にＦＲＰ（ガラス繊維樹脂）材料をいわゆるスプレーアップ成形すること等によって作製されている。
【００１６】
上部槽２０の外面には、例えば一般家庭から排出された家庭用排水を排水処理槽１へ受入れるための流入管２、槽内で浄化処理された処理水を排水処理槽１から放流するための放流管３、槽内の内部点検等に用いられる円形状のマンホール５０が設けられている。そして、流入管２から受入れられた排水は、排水処理槽１で連続的に浄化処理されたのち、放流管３から放流されるようになっている。
なお、処理槽本体１０の内部には、種々の排水処理を行う複数の処理槽が設けられている。例えば、排水中に含まれる大きな固形物や油脂等の固液分離を行う夾雑物除去槽、処理水中の有機性汚濁物質を嫌気性微生物の働きによって嫌気分解する嫌気濾床槽、処理水中の有機性汚濁物質を好気性微生物の働きによって好気気分解する好気濾床槽、処理水を一時的に貯留する処理水槽、放流する前の処理水の消毒を行う消毒槽等が設けられている。
【００１７】
上部槽２０および下部槽３０によって処理槽本体１０が組立てられた状態では、上部槽補強リブ２３と下部槽補強リブ３３とが互いに対向するようになっている。このように上部槽２０と下部槽３０の両方に補強リブを設けたうえで、これら上部槽補強リブ２３と下部槽補強リブ３３の各々が上下に重なるように構成したため、処理槽本体１０自体の補強強度が高まることとなる。
【００１８】
本発明における開口としてのマンホール５０は、処理槽本体１０の上部三箇所に設けられ、円板状に形成されたマンホール蓋７０に塞がれるようになっている。このマンホール蓋７０が本発明における蓋部材に対応している。
図２に示すように、マンホール５０を塞ぐマンホール蓋７０は、枠状に形成されたマンホール枠６０を介して取付けられる。そして、マンホール蓋７０はマンホール枠６０によって保持される。すなわち、マンホール枠６０は立設壁６１ａ，６１ｂ、水平壁６１ｃを有し、立設壁６１ａと水平壁６１ｃとによって形成される凹部に、マンホール蓋７０が嵌り込むようになっている。これにより、マンホール蓋７０がマンホール枠６０の凹部に嵌まり込んだ状態では、マンホール蓋７０がマンホール枠６０によって保持されることとなる。このマンホール枠６０が本発明における保持部材に対応している。
【００１９】
また、このマンホール枠６０によって、処理槽本体１０に対するマンホール蓋７０の位置決めがなされることとなる。また、マンホール枠６０はマンホール５０の開口端部２４によって保持されるようになっている。すなわち、マンホール枠６０の立設壁６１ｂの外径がマンホール５０の内径に対応しており、これによりマンホール枠６０がマンホール５０に嵌まり込んだ状態では、マンホール枠６０がマンホール５０によって保持されることとなる。なお、マンホール枠６０の形状は、必要に応じて種々変更可能である。例えば、マンホール枠６０から外周方向へ突出する鍔部を設け、この鍔部をコンクリート部材Ｃ側に埋設されるように構成することもできる。
【００２０】
マンホール５０の開口端部２４には、径方向へ突出する突出部２５が設けられている。本実施の形態では各マンホール５０の四箇所に突出部２５が設けられている。また突出部２５は、マンホール枠６０の水平壁６１ｃと対向する断面の幅が開口端部２４よりも広くなっている。そして、この開口端部２４および突出部２５の対向断面２７がマンホール枠６０の水平壁６１ｃに当接するようになっている。
【００２１】
また、開口端部２４の外周面と突出部２５とによって凹部２６が形成される。そして、図３に示すように処理槽本体１０が地面に埋設された状態では、この凹部２６に例えばスラブ状のコンクリート部材Ｃが入り込み、このコンクリート部材Ｃがマンホール枠６０の支持に用いられる。すなわち、マンホール枠６０を挟んでマンホール蓋７０の反対側（マンホール枠６０の反マンホール蓋側）には、コンクリート部材Ｃが配置される。そして、このコンクリート部材Ｃによって、マンホール枠６０が支持されることとなる。このコンクリート部材Ｃが本発明における支持部材に対応している。
【００２２】
従って、マンホール蓋７０を介してマンホール枠６０に作用した荷重は、開口端部２４、突出部２５、凹部２６に入り込んだコンクリート部材Ｃ等によって受けられることとなる。これにより、マンホール枠６０に作用した荷重を開口端部のみによって受ける場合に比して、開口端部２４や突出部２５の肉厚を薄くすることができ処理槽本体１０自体の作製コストを低減させることができる。また、マンホール枠６０の形状を変更する必要がない。
【００２３】
なお、マンホール５０は、一般にＦＲＰ（ガラス繊維樹脂）製の処理槽本体１０の凸部を切り抜くことで形成される。このマンホール５０の形成方法の概要を図４を参照しながら説明する。ここで、図４はマンホールの形成方法の概要を示す斜視図である。
図４に示すように、処理槽本体１０をスプレーアップ成形する際に、まずマンホール５０を形成する箇所を凸状に成形するのが好ましい。次に、この処理槽本体１０の凸部の水平面２４ａ側を、切り抜き線にしたがってカッター部材９０等で切り抜く。これにより、処理槽本体１０にマンホール５０が形成されることとなる。このように、凸部の水平面２４ａ側を加工することでマンホール５０を形成するため、例えば、凸部の立設面２４ｂ側を加工する場合に比してマンホール５０の加工が容易である。しかも、凸部の立設面２４ｂ側を加工する場合に比して、加工後の開口端部２４の対向断面２７の水平度の確保が容易である。すなわち、凸部の水平面２４ａ側を加工する場合は、水平面２４ａの水平度を確保しておけば、切り抜き精度が変化しても問題ないが、凸部の立設面２４ｂ側を加工する場合は、マンホール枠６０と対向する対向断面の水平度を確保するために、高い切り抜き精度が要求されることとなる。
【００２４】
以上のように本実施の形態によれば、マンホール枠６０の反マンホール蓋側に配置されるコンクリート部材Ｃによってマンホール枠６０が支持されるため、マンホール蓋７０を介してマンホール枠６０に作用する荷重の全部または一部を、コンクリート部材Ｃによって受けることができる。これにより、処理槽本体１０に作用する荷重を極力低減させることで処理槽本体１０の肉厚を薄くすることで処理槽本体１０の作製コストを低くすることができる。
また、本実施の形態によれば、とりわけ開口端部２４と突出部２５の間の凹部２６にコンクリート部材Ｃを配置した簡単な構成によって、処理槽本体１０に作用する荷重を極力低減させることができる。
また、本実施の形態によれば、開口端部２４および突出部２５によって、マンホール枠６０を処理槽本体側に確実に保持することができる。
また、本実施の形態によれば、処理槽本体１０の凸部の水平面２４ａ側を切り抜くことでマンホール５０を形成するため、例えば、凸部の立設面２４ｂ側を加工する場合に比してマンホール５０の加工および対向断面２７の水平度の確保が容易である。
【００２５】
〔他の実施の形態及び参考例〕
なお、本発明は上記の実施の形態のみに限定されるものではなく、種々の応用や変形が考えられる。例えば、上記実施の形態を応用した次の各形態を実施することもできる。
【００２６】
（Ａ）上記実施の形態では、処理槽本体１０の上部に円形状のマンホール５０を設ける場合について記載したが、マンホール５０の形状はこれに限定されず必要に応じて種々変更可能である。例えば、処理槽本体１０に四角形状のマンホールを設けることもできる。この別の実施の形態について図５を参照しながら説明する。
図５に示すように、四角形状のマンホール１５０（開口）を塞ぐマンホール蓋１７０は、四角形の枠状に形成されたマンホール枠１６０（保持部材）を介して取付けられる。マンホール蓋１７０はマンホール枠１６０に嵌り込むことでこのマンホール枠６０によって保持されるようになっている。また、マンホール枠１６０は、マンホール１５０に嵌り込むことでこのマンホール１５０の開口端部１２４によって保持されるようになっている。マンホール１５０の開口端部１２４には、径方向へ突出する突出部１２５が設けられている。そして、この開口端部１２４および突出部１２５の対向断面１２７がマンホール枠１６０に当接するようになっている。また、開口端部１２４の外周面と突出部１２５とによって凹部１２６が形成される。そして、この凹部１２６に例えばスラブ状のコンクリート部材Ｃが入り込み、このコンクリート部材Ｃがマンホール枠１６０の支持に用いられる。すなわち、マンホール枠１６０の反マンホール蓋側に配置されるコンクリート部材Ｃによって、マンホール枠１６０が支持されることとなる。
【００２７】
（Ｂ）また、上記実施の形態では、マンホール５０の開口端部２４に突出部２５を設ける場合について記載したが、突出部２５は省略することもできる（参考例）。例えば図６に示すように、開口端部２４の対向断面２７がマンホール枠６０の水平壁６１ｃに当接するようになっている。また、処理槽本体１０が地面に埋設された状態では、開口端部２４とマンホール枠６０の水平壁６１ｃとの間にコンクリート部材Ｃが入り込み、このコンクリート部材Ｃがマンホール枠６０の支持に用いられる。
【００２８】
（Ｃ）また、上記実施の形態では、処理槽本体１０とマンホール蓋７０との間にはマンホール枠６０のみが介在する場合について記載したが、処理槽本体１０とマンホール蓋７０との間に更に別の部材を設けることもできる。この別の実施の形態について図７を参照しながら説明する。
図７に示すように、処理槽本体１０を地面深く埋設する場合、処理槽本体１０とマンホール蓋７０との間に、マンホール枠６０および嵩上げ部材８０を介在させる。嵩上げ部材８０は、処理槽本体側は開口端部２４に当接し、マンホール枠側は水平壁６１ｃに当接するように構成されている。そして、マンホール枠６０の反マンホール蓋側に配置されるコンクリート部材Ｃによって、マンホール枠６０が支持されることとなる。
【００２９】
（Ｄ）また、上記実施の形態では、槽内の点検等に用いられるマンホール５０（開口）について記載したが、開口はマンホールに限定されない。すなわち、マンホール以外の開口、例えば測定機器や配管類の挿入口等の構成に本発明を適用することもできる。
【００３０】
【発明の効果】
以上説明したように、本発明によれば、マンホール等の開口を備えた排水処理装置において、簡便かつ安価に排水処理装置の耐久性を維持することができる合理的な技術を実現することができる。
【図面の簡単な説明】
【図１】  本発明における一実施の形態の排水処理槽の外観を示す斜視図である。
【図２】  図１中のマンホールの構成を示す斜視図である。
【図３】  図２中の部分断面図である。
【図４】  マンホールの形成方法の概要を示す斜視図である。
【図５】  別の実施の形態のマンホールの構成を示す斜視図である。
【図６】  参考例のマンホールの構成を示す部分断面図である。
【図７】  別の実施の形態のマンホールの構成を示す部分断面図である。
【図８】  従来のマンホールの構成を示す部分断面図である。
【符号の説明】
１…排水処理槽（排水処理装置）
１０…処理槽本体（処置装置本体）
２０…上部槽
２４…開口端部
２４ａ…水平面、２４ｂ…立設面
２５…突出部
２６…凹部
２７…対向断面
３０…下部槽
５０…マンホール（開口）
６０…マンホール枠（保持部材）
６１ａ，６１ｂ…立設壁、６１ｃ…水平壁
７０…マンホール蓋（蓋部材）
Ｃ…コンクリート部材（支持部材）
【図１】
0004405093.tif 000002
【図２】
0004405093.tif 000003
【図３】
0004405093.tif 000004
【図４】
0004405093.tif 000005
【図５】
0004405093.tif 000006
【図６】
0004405093.tif 000007
【図７】
0004405093.tif 000008
【図８】
0004405093.tif 000009